【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
複数の枠材が組み合わされて枠状に形成された枠と、
前記枠材により区画された枠内に配置された真空断熱材と、
前記真空断熱材を前記枠内に保持する保持手段と、を備える
断熱パネル。
【請求項２】
前記枠内には、前記真空断熱材が配置されていない部位に切断可能な他の断熱材も配置されている請求項１に記載の断熱パネル。
【請求項３】
前記枠の外周面にはシール部材が配置されている請求項１又は２に記載の断熱パネル。
【請求項４】
前記保持手段には、加工可能範囲が表示されている請求項１〜３のいずれか一項に記載の断熱パネル。
【請求項５】
建物の躯体と、
前記建物の躯体の室内側に配置された請求項１〜４のいずれか一項に記載の断熱パネルと、を備え、
前記断熱パネルの前記枠が前記建物の躯体に固定部材により固定されている、建物の室内側断熱構造。
【請求項６】
施工対象である室内側既存構造の情報を取得する工程と、
前記取得した情報に基づいて請求項１〜４のいずれか一項に記載の断熱パネルの割り付けを決める工程と、
前記決められた割り付けに基づいて前記断熱パネルを製造する工程と、を備え、
前記断熱パネルの割り付けを決める工程の際に、可能な限り前記真空断熱材の割合を多くする、断熱パネルの製造方法。
【請求項７】
施工対象である室内側既存構造の情報を取得する工程と、
前記取得した情報に基づいて請求項１〜４のいずれか一項に記載の断熱パネルの割り付けを決める工程と、
前記決められた割り付けに基づいて前記断熱パネルを製造する工程と、
前記製造された前記断熱パネルを前記室内側既存構造に取り付ける工程と、を備える、室内側断熱構造の施工方法。
【請求項８】
施工対象である室内側既存構造のデータを受信する受信手段と、
受信した前記室内側既存構造のデータに基づいて、該室内側既存構造を演算して寸法データを生成する手段と、
生成された前記寸法データに基づいて請求項１〜４のいずれか一項に記載の断熱パネルを割り付ける演算をして割り付けデータを生成する手段と、
生成された前記断熱パネルの割り付け結果を出力する出力手段と、を有する、
断熱パネルの割り付けシステム。
【請求項９】
受信手段、及び演算手段を備える演算装置を用い、
施工対象である室内側既存構造のデータを受信し、
受信した前記室内側既存構造のデータに基づいて該室内側既存構造を演算して寸法データを生成し、
生成された前記寸法データに基づいて請求項１〜４のいずれか一項に記載の断熱パネルを割り付ける演算をして割り付けデータを生成することにより、
前記断熱パネルの割り付け結果を得る、
断熱パネルの割り付け方法。
【手続補正２】
【補正対象書類名】明細書
【補正対象項目名】発明の名称
【補正方法】変更
【補正の内容】
【発明の名称】断熱パネル、建物の室内側断熱構造、断熱パネルの製造方法、室内側断熱構造の施工方法、断熱パネルの割り付けシステム、及び断熱パネルの割り付け方法
【手続補正３】
【補正対象書類名】明細書
【補正対象項目名】０００１
【補正方法】変更
【補正の内容】
【０００１】
本発明は、建物の断熱性向上に寄与する断熱パネル、建物の室内側断熱構造、断熱パネルの製造方法、室内側断熱構造の施工方法、断熱パネルの割り付けシステム、及び断熱パネルの割り付け方法関する。
【手続補正４】
【補正対象書類名】明細書
【補正対象項目名】０００４
【補正方法】変更
【補正の内容】
【０００４】
例えば建物の外壁を除去し、断熱材等を施工して再度外壁を形成する方法がある。また、床については暗く、狭い床下空間に潜り、床に断熱材等を施工して形成する方法がある。しかしながら外壁に対するこのような方法では外壁を除去するために部分的な施工ができないとともに、外壁の施工のために足場を形成する必要があり大がかりになる。一方、床については建物の基礎が床下空間を区画しているため、建物によっては床下から施工できない箇所が発生する。
【手続補正５】
【補正対象書類名】明細書
【補正対象項目名】００１１
【補正方法】変更
【補正の内容】
【００１１】
そこで本発明は上記の問題に鑑み、増し張り断熱による改修において工期を短く、改修を簡易とすることができる断熱パネルを提供することを課題とする。また、当該断熱パネルを含む建物の室内側断熱構造、断熱パネルの製造方法、室内側断熱構造の施工方法、断熱パネルの割り付けシステム、及び断熱パネルの割り付け方法を提供する。
本明細書中で「室内側断熱構造」は、「断熱壁構造」、「断熱床構造」、及び「断熱天井構造」を含む概念である。また「室内側既存構造」は断熱改修を行う前の既存の室内側構造を表し、既存壁構造、既存床構造、及び既存天井構造を意味する。
【手続補正６】
【補正対象書類名】明細書
【補正対象項目名】００１５
【補正方法】変更
【補正の内容】
【００１５】
請求項３に記載の発明は、請求項１又は２に記載の断熱パネル（１０）において、枠（１２）の外周面にはシール部材（２５）が配置されている。
請求項４に記載の発明は、請求項１〜３のいずれか一項に記載の断熱パネル（１０）において、保持手段（１１、３０）には、加工可能範囲（１１ａ、１１ｂ）が表示されている。
【手続補正７】
【補正対象書類名】明細書
【補正対象項目名】００１６
【補正方法】変更
【補正の内容】
【００１６】
請求項５に記載の発明は、建物の躯体（４２〜４６、５２）と、建物の躯体の室内側に配置された請求項１〜４のいずれか一項に記載の断熱パネル（５３〜５６）と、を備え、  断熱パネルの枠が建物の躯体に固定部材（５８）により固定されている、建物の室内側断熱構造（４０）である。
ここで「建物の躯体」は、建物に備えられる構造上の要素を意味し、具体的には柱、間柱、梁、根太、既存内装材、既存床材、既存天井材等を含む概念である。また、「建物の室内側断熱構造」とは、「建物の断熱壁構造」、「建物の断熱床構造」、「建物の断熱天井構造」を含む概念である。
【手続補正８】
【補正対象書類名】明細書
【補正対象項目名】００１７
【補正方法】変更
【補正の内容】
【００１７】
請求項６に記載の発明は、施工対象である室内側既存構造の情報を取得する工程（Ｓ１１０）と、取得した情報に基づいて請求項１〜４のいずれか一項に記載の断熱パネルの割り付けを決める工程（Ｓ１１１）と、決められた割り付けに基づいて断熱パネルを製造する工程（Ｓ１１２）と、を備え、断熱パネルの割り付けを決める工程の際に、可能な限り真空断熱材の割合を多くする、断熱パネルの製造方法である。
請求項７に記載の発明は、施工対象である室内側既存構造の情報を取得する工程（Ｓ１１０）と、取得した情報に基づいて請求項１〜４のいずれか一項に記載の断熱パネルの割り付けを決める工程（Ｓ１１１）と、決められた割り付けに基づいて断熱パネルを製造する工程（Ｓ１１２）と、製造された断熱パネルを室内側既存構造に取り付ける工程（Ｓ１１４）と、を備える、室内側断熱構造の施工方法（Ｓ１０１）である。
ここで、「室内側既存構造」とは、「既存壁構造」、「既存床構造」、及び「既存天井構造」を含む概念である。
【手続補正９】
【補正対象書類名】明細書
【補正対象項目名】００１８
【補正方法】変更
【補正の内容】
【００１８】
請求項８に記載の発明は、施工対象である室内側既存構造のデータを受信する受信手段（１０３）と、受信した室内側既存構造のデータに基づいて、該室内側既存構造を演算して寸法データを生成する手段（１０２）と、生成された寸法データに基づいて請求項１〜４のいずれか一項に記載の断熱パネルを割り付ける演算をして割り付けデータを生成する手段（１０２）と、生成された断熱パネルの割り付け結果を出力する出力手段（１０６）と、を有する、断熱パネルの割り付けシステム（１００）である。
【手続補正１０】
【補正対象書類名】明細書
【補正対象項目名】００１９
【補正方法】変更
【補正の内容】
【００１９】
請求項９に記載の発明は、受信手段、及び演算手段を備える演算装置を用い、施工対象である室内側既存構造のデータを受信し（Ｓ２１０）、受信した室内側既存構造のデータに基づいて該室内側既存構造を演算して寸法データを生成し（Ｓ２１１）、生成された寸法データに基づいて請求項１〜４のいずれか一項に記載の断熱パネルを割り付ける演算をして割り付けデータを生成することにより、断熱パネルの割り付け結果を得る、断熱パネルの割り付け方法である。